(57)【要約】【課題】  照明のために商品見本を加工する必要がなく、商品見本陳列部の奥行きを大きくしなくても商品見本をムラなく鮮やかに照明することができる自動販売機を提供する。【解決手段】  商品見本陳列部４内の商品見本保持板２９Ａを底面板３０Ａと背面板３１Ａとで構成し、半透明の透光性樹脂で形成する。そして、背面板３１Ａの内部にＬＥＤ基板３５を取り付けて、複数のカラーＬＥＤ３６Ａを前面略全域に設け、下方にカラーＬＥＤ３６Ｂが横一列に複数並んだイルミネーション表示部１０を設け、イルミネーション表示部１０の下方で背面板３１Ａの後方及びイルミネーション表示部１０の後方に、導光板９に光を入射する蛍光灯を設け、蛍光灯より発光された光が導光板９の前面全域から発光され、導光板９の前方に取り付けられているポスターを後方から照明するようにする。【選択図】        図６
2007011743.tif 000002
【特許請求の範囲】
【請求項１】
自動販売機の本体前面に設けられた前面扉と、
該前面扉に設けられ、販売される商品見本が陳列される商品見本陳列部と、
該商品見本陳列部に設けられ、商品見本を載置する商品見本保持板と、
該商品見本保持板の前面に取り付けられ、商品価格を表示する前面板とを備える自動販売機であって、
前記商品見本保持板は、商品見本の底面を保持する底面板と、商品見本の背面を保持する背面板とからなり、
前記背面板に、商品見本保持板に載置された商品見本を後方から照明するＬＥＤが複数取り付けられたＬＥＤ基板が設けられていることを特徴とする自動販売機。
【請求項２】
前記商品見本保持板の下方に設けられ、予め設定されている複数の点灯パターンの内、選択された点灯パターンで点灯する電照手段を備えることを特徴とする請求項１に記載の自動販売機。
【請求項３】
前記商品見本保持板の後方に設けられ、後方からの光で照明する広告体と、
該広告体の後方に設けられ、縁面から入光した光を前記広告体を照明する方向へ導く導光板と、
該導光板の縁面近傍に設けられ、該導光板へ光を入射する導光板照明手段とを備えることを特徴とする請求項１または２に記載の自動販売機。
【発明の詳細な説明】
【技術分野】
【０００１】
本発明は、商品見本を照明する照明手段を備えた自動販売機に関する。
【背景技術】
【０００２】
従来、自動販売機の商品見本陳列部に陳列された商品見本を照明する照明手段として、商品見本を支える陳列台の後方に光源を設けて後方から商品見本を照明したり、商品見本内部に光源を設けて商品見本内部から照明したりするものが考えられていた（例えば、特許文献１参照。）。
【特許文献１】特開２００５−５６４４４号公報
【発明の開示】
【発明が解決しようとする課題】
【０００３】
しかしながら、このような方法では、商品見本の中に光源を設ける場合には、光源を収納できるよう商品見本を加工する必要があり、商品見本のレイアウト変更も容易ではない。また、陳列台の後方に光源を設ける場合には、陳列台後方に光源を取り付けるためのスペースを確保する必要があって、商品見本陳列部の奥行きが大きくなってしまい、また、光源と商品見本の間に広い空間が形成されてしまうため、光源からの光が拡散し、商品見本の部位ごとの照明の明度にムラができてしまう。
【０００４】
本発明は、こうした問題を解決するためのものであって、照明のために商品見本を加工する必要がなく、商品見本陳列部の奥行きを大きくしなくても商品見本をムラなく鮮やかに照明することができる自動販売機を提供することを目的とする。
【課題を解決するための手段】
【０００５】
請求項１に係る発明の自動販売機は、自動販売機の本体前面に設けられた前面扉と、該前面扉に設けられ、販売される商品見本が陳列される商品見本陳列部と、該商品見本陳列部に設けられ、商品見本を載置する商品見本保持板と、該商品見本保持板の前面に取り付けられ、商品価格を表示する前面板とを備える自動販売機であって、前記商品見本保持板は、商品見本の底面を保持する底面板と、商品見本の背面を保持する背面板とからなり、前記背面板に、商品見本保持板に載置された商品見本を後方から照明するＬＥＤが複数取り付けられたＬＥＤ基板が設けられていることを特徴とする。
【０００６】
この自動販売機は、商品見本保持板の背面板に設けられたＬＥＤ基板上の複数のＬＥＤが商品見本を後方から照明するため、商品見本に照明のための加工を施す必要がなく、商品見本のレイアウト変更も容易に行える。また、商品見本保持板の後方に大きなスペースは必要でなく、光源であるＬＥＤは商品見本と近接し、且つ背面板の正面略全域に向けて設けることができるので、商品見本をムラなく照明することができ、また、多彩な点灯パターンで鮮やかに照明することができる。
【０００７】
請求項２に係る発明の自動販売機は、請求項１に係る発明の構成において、前記商品見本保持板の下方に設けられ、予め設定されている複数の点灯パターンの内、選択された点灯パターンで点灯する電照手段を備えることを特徴とする。
【０００８】
この自動販売機は、商品見本保持板の背面板に設けられたＬＥＤ基板上の複数のＬＥＤが商品見本を後方から照明するため、商品見本に照明のための加工を施す必要がなく、商品見本のレイアウト変更も容易に行える。また、商品見本保持板の後方に大きなスペースは必要でなく、光源であるＬＥＤは商品見本と近接し、且つ背面板の正面略全域に向けて設けることができるので、商品見本をムラなく照明することができ、また、多彩な点灯パターンで鮮やかに照明することができる。そして、商品見本保持板の下方に電照手段が設けられ、予め設定されている複数の点灯パターンの内、選択された点灯パターンで点灯することによって、商品見本が多彩な点灯パターンで一層鮮やかに照らされるだけでなく、商品見本陳列部も鮮やかに照明される。
【０００９】
請求項３に係る発明の自動販売機は、請求項１または２に係る発明の構成において、前記商品見本保持板の後方に設けられ、後方からの光で照らされる広告体と、該広告体の後方に設けられ、縁面から入光した光を前記広告体を照らす方向へ導く導光板と、該導光板の縁面近傍に設けられ、該導光板へ光を入射する導光板照明手段とを備えることを特徴とする。
【００１０】
この自動販売機は、商品見本保持板の背面板に設けられたＬＥＤ基板上の複数のＬＥＤが商品見本を後方から照明するため、商品見本に照明のための加工を施す必要がなく、商品見本のレイアウト変更も容易に行える。また、商品見本保持板の後方に大きなスペースは必要でなく、光源であるＬＥＤは商品見本と近接し、且つ背面板の正面略全域に向けて設けることができるので、商品見本をムラなく照らすことができ、また、多彩な点灯パターンで鮮やかに照明することができる。そして、商品見本保持板の後方に、導光板によって照らすよう広告体を設けたことにより、商品見本陳列部が華やかになり、顧客に対するアピール度を高めることができる。
【発明の効果】
【００１１】
以上の説明から明らかなように、本発明（請求項１〜３に係る発明）の自動販売機は、商品見本保持板の背面板に設けられたＬＥＤ基板上の複数のＬＥＤが商品見本を後方から照明するため、商品見本に照明のための加工を施す必要がなく、商品見本のレイアウト変更も容易に行える。また、商品見本保持板の後方に大きなスペースは必要でなく、光源であるＬＥＤは商品見本と近接し、且つ背面板の正面略全域に向けて設けることができるので、商品見本をムラなく照明することができ、また、多彩な点灯パターンで鮮やかに照明することができる。
【００１２】
そして、特に請求項２に係る発明の自動販売機は、商品見本保持板の下方に電照手段が設けられ、予め設定されている複数の点灯パターンの内、選択された点灯パターンで点灯することによって、商品見本が多彩な点灯パターンで一層鮮やかに照明されるだけでなく、商品見本陳列部も鮮やかに照明される。
【００１３】
また、特に請求項３に係る発明の自動販売機は、商品見本保持板の後方に、導光板によって照明するよう広告体を設けたことにより、商品見本陳列部が華やかになり、顧客に対するアピール度を高めることができる。
【発明を実施するための最良の形態】
【００１４】
以下、本発明の実施の形態を図面に基づいて説明する。
図１〜図１０は本発明の実施の形態の一例の自動販売機を示している。図１は自動販売機の通常状態での正面図、図２は自動販売機の広告シート降下時の正面図、図３は前面扉内部の構造を示す本体内部構造を省略した縦断面図、図４は広告シート機構の部分の断面図、図５は商品見本陳列部の上部拡大斜視図、図６は上部商品見本陳列部の拡大横断面図、図７は広告シート機構上部ユニットの斜視図、図８は広告シート機構上部ユニットのローラケースからローラを取り外した状態の説明図、図９は広告シート機構上部ユニット右側端部の前面扉に取付けた状態の説明図、図１０は制御系のブロック図である。
【００１５】
この実施の形態の自動販売機は、図１および図２に示すように、自動販売機の本体１の前面に前面扉２が設けられ、前面扉２には、箱形状の商品見本３を陳列するための商品見本陳列部４、自動販売機の各種操作を行う操作部５、物品取出口６、釣り銭払出口７等が設けられている。そして、商品見本陳列部４に対応して前面扉２の前面に、商品見本陳列部４内に収納されている商品見本３を外部から視認することが可能な透明パネル８が設けられている。
【００１６】
商品見本陳列部４は、導光板９による広告表示部や電照手段としての多色発光のマルチカラーＬＥＤによるイルミネーション表示部１０が設けられていて顧客に対する訴求効果が高い上部商品見本陳列部１１と、商品見本３を通常どおり蛍光灯１２Ａで照明する下部商品見本陳列部１３に分かれている。
【００１７】
また、図３に示すように、商品見本陳列部４と透明パネル８の間には、自動販売機の販売中止時または一定時間商品販売動作がなく販売待機モードに入っている時に商品見本陳列部４の前面の全域を覆うシート部材である広告シート１４が昇降移動するための空間（広告シート動作空間）１５が形成されている。広告シート１４は、伸張展開及び巻取回収可能で、商品見本陳列部４の前面全域から待避した位置と、商品見本陳列部４の前面略全域を覆う位置との間を上下に昇降動作する。
【００１８】
広告シート１４は、透光性を有するが透視性に乏しく後方の商品見本３をはっきりとは確認できない材料であるポリエステル系繊維の布等で形成され、表面に広告内容を印刷したもので、上端が図８および図９に示す広告シート機構上部ユニットのローラケースに装着された巻取ローラであるローラ１６に取り付け支持されており、下端はリング状に縫われて、このリング状に縫われた部分に、図３および図４に示すように、自重によって広告シート部材１４を下方へ引張付勢する錘部材１７が挿入されている。
【００１９】
尚、この実施の形態では、広告シートには広告を印刷したものとしているが、無地の広告シートを使用してもよい。
【００２０】
また、この実施の形態では、広告部材として、透光性を有するが透視性に乏しいポリエステル繊維の布で形成された一枚のシート状の広告シートを使用しているが、透光性を有するが透視性に乏しい材質の長板状体を複数連結したシャッター形状やブラインド形状の広告部材を使用してもよい。
【００２１】
錘部材１７は、広告シート１４の横幅よりやや長い形状であり、広告シート１４の両側端より左右方向へ突出した状態で取り付けられ、突出している部分に被誘導部であるカバー体１８が取り付けてある。このカバー体１８は、広告シート下端１４のリングよりやや大きく、錘部材１７が広告シート１４から抜け出てしまうことを防ぐとともに、錘部材１７が左右方向にずれることを防ぐ働きをする。
【００２２】
そして、広告シート動作空間１５の両側面には、上下方向の略全域に渡って誘導部である一対のガイドレール１９が設けられており、錘部材１７のカバー体１８がガイドレール１９にはまり込んで、広告シート１４の下端が上下方向に誘導されるとともに前後方向への動作が規制され、広告シート１４がスムーズに商品見本陳列部４の前面全域から待避しまたは前面略全域を覆う位置まで誘導動作することができるようになっている。
【００２３】
そして、ガイドレール１９の最下部には、広告シート１４が商品見本陳列部４の前面略全域を覆った状態で広告シート１４の下端を検知する第２の位置検知手段である下部位置検知スイッチ２０が設けられている。
【００２４】
また、この実施の形態の図では、カバー体は、円柱形状のキャップ形状であるが、ガイドレールに触れる先端部分に丸みを付けてもよい。尚、先端部分に丸みを付けることで、ガイドレールに対して引っかかることを防ぐことができ、スムーズに動作させることができるようになる。また、カバー体の先端部とレールの底面との間には、ほとんど隙間を設けないことで、錘部材や広告シートが左右横方向へ動くのを防ぐことができる。
【００２５】
広告シート１４の大きさは、幅方向には商品見本陳列部４の幅方向の寸法から一対のガイドレール１９の幅を差し引いた寸法とほぼ同じで、縦方向には商品見本陳列部４の縦方向の寸法とほぼ同じである。
【００２６】
また、図４に示すように、前面扉２の内部の商品見本陳列部４の上部には取り外しが可能な広告シート機構上部ユニットを構成するローラケース２１が取り付けられ、このローラケース２１には、広告シート１４を巻取回収するローラ１６と、ローラ１６の側部に設けられてローラ１６を駆動するモータ２２と、商品見本陳列部４の前面全域から待避しローラ１６に巻き取られた状態での広告シート１４の下端を検知する第１の位置検知手段である上部位置検知スイッチ２３が設けられている。
【００２７】
ローラケース２１は、一端に前面扉２に係止させるための係止爪（図示せず）が設けられ、他端には前面扉２に固定するためのロック錠２５が設けられて、モータ２２に接続されているコネクタを外した後に、ロック錠２５を解除し、係止爪を外すことで前面扉２からローラケース２１を取り外すことができるよう構成されている。
【００２８】
上部位置検知スイッチ２３および下部位置検知スイッチ２０は、広告シート１４の下端に設けられている錘部材１７がスイッチを押すことで広告シート１４の下端を検知することができるようになっている。
【００２９】
また、ローラケース２１には、設置位置確認用爪（図示せず）が設けられ、定位置にローラケース２１が取り付けられた時に、前面扉２側に設けられた設置位置確認スイッチ（図示せず）が設置位置確認爪によって押下されて、ローラケース２１が定位置に設置されていることを検知することができ、ローラケース２１が定位置に設置されず、設置位置確認スイッチが押下されなければ、ローラケース２１内のモータ２２が駆動しないようになっている。
【００３０】
ローラケース２１に設けられたローラ１６は、モータ２２に連結されている回転軸２８をケース側面から抜き取ることで取り外しが可能となり、図８に示すように、ローラ１６ごと広告シート１４を取り外すことができる。また、ローラ１６を取り付ける場合には、ローラ１６をローラケース２１の所定位置に設置した後、側面から回転軸２８を挿入してモータ２２と連結することで、ローラ１６ごと広告シート１４をローラケース２１に取り付けることができる。
【００３１】
商品見本陳列部４の内部には、上部商品見本陳列部１１および下部商品見本陳列部１３に、商品見本３を陳列するための商品見本保持板２９Ａ，２９Ｂがそれぞれ複数設けられている。各商品見本保持板２９Ａ，２９Ｂは、商品見本３の底面を支持する底面板３０Ａ，３０Ｂと、商品見本３の背面を支持する背面板３１Ａ，３１Ｂから形成されている。また、商品見本保持板２９Ａ，２９Ｂの前面には、透明樹脂で形成された、商品見本保持板２９Ａ，２９Ｂに対し取り外しが可能で、商品見本３の前面を支持するとともに価格を表示する前面板である価格ホルダ３２が設けられている。価格ホルダ３２は、前後方向へスライド可能で、商品見本３の厚みにあわせて価格ホルダ３２の位置を調整することができる。
【００３２】
下部商品見本陳列部１３には、各商品見本保持板２９の下方に、商品見本３の照明とともに下部商品見本陳列部１３の内部の照明のための蛍光灯１２Ａが設けられ、蛍光灯１２Ａの前方には、外部から透明パネル８を通して蛍光灯１２Ａを直接目にすることを防ぐために非透光性の覆い部材３３が設けられている。この覆い部材３３は、蛍光灯１２Ａの前方から待避可能に設けられており、覆い部材３３を蛍光灯１２Ａの前方から待避させることで蛍光灯１２Ａの交換を容易に行うことができる。
【００３３】
また、各商品見本保持板２９Ｂの底面板３０Ｂ及び背面板３１Ｂには、下方に設けられている蛍光灯１２Ａの光を、載置されている商品見本３へ導くとともに更にその上方へと導くための導光穴３４が設けられている。
【００３４】
上記蛍光灯１２Ａは光量を変化させることができるインバータ機能を備えている。
【００３５】
上部商品見本陳列部１１の商品見本保持板２９Ａは、半透明の透光性樹脂で形成されている。そして、その商品見本保持板２９Ａの背面板３１Ａは、垂直に設けられ、商品見本３の背面と同形状で、商品見本３の背面よりやや横幅寸法および高さ寸法が小さく、上部商品見本陳列部１１の上から３分の２ほどを空間のまま残す配置で設置されている。
【００３６】
上部商品見本陳列部１１の商品見本保持板２９Ａの各背面板３１Ａは、内部が中空になっている。そして、それぞれの背面板３１Ａの内部には、背面板３１Ａの前面寸法よりやや小さいＬＥＤ基板３５が取り付けられ、点消灯、点滅及び色彩変化が可能な複数のカラーＬＥＤ３６Ａが各ＬＥＤ基板３５の前面略全域にわたって設けられ、複数の点灯パターンで商品見本３の隅々を鮮やかに照明することができるようになっている。
【００３７】
上部商品見本陳列部１１の商品見本保持板２９Ａは、一段に配置され、複数（図示の例では商品見本４つ分）の底面板３０Ａが一体となり、同様に複数の背面板３１Ａも下部が一体となっていて、複数の商品見本３を陳列可能な一組のユニットとなっている。
【００３８】
そして、上部商品見本陳列部１１は、商品見本保持板２９Ａの下方に、点消灯、点滅及び色彩変化が可能なカラーＬＥＤ３６Ｂが横一列に複数並んだイルミネーション表示部１０が設けられており、設定された点灯パターンによって鮮やかな電照を行うことが可能となっている。
【００３９】
また、イルミネーション表示部１０の下方には、商品見本保持板２９Ａの背面板３１Ａの後方及びイルミネーション表示部１０の後方に設けられ、前方にポスターが取り付けられて広告表示部となっている導光板９に、その下方縁部から光を入射するための蛍光灯１２Ｂが設けられており、蛍光灯１２Ｂの周囲には、内部が鏡面加工された蛍光灯ケース３７が設けられている。蛍光灯１２Ｂより発光された光は、導光板９の下縁面から入射し、入射した光が導光板９の前面全域から発光され、導光板９の前方に取り付けられているポスターを後方から照明する。
【００４０】
上部商品見本陳列部１１は、このように背面板３１Ａに取り付けられているＬＥＤ基板３５、イルミネーション表示部１０および導光板９によって多彩な点灯パターンで照明が行われ、顧客の注意を強く引きつけることができるようになっている。
【００４１】
この自動販売機の制御部３８には、上部商品見本陳列部１１の商品見本３を照明するＬＥＤ基板３５と、上部商品見本陳列部１１に設けられているイルミネーション表示部１０と、上部商品見本陳列部１１の導光板９に光を入射する蛍光灯１２Ｂと、下部商品見本陳列部１３の商品見本３を照明する蛍光灯１２Ａと、広告シート１４の下端の位置検知を行う上部位置検知スイッチ２３及び下部位置検知スイッチ２０と、各照明手段の点灯、点滅、色変化等の点灯パターンを記憶する記憶手段であるメモリ３９と、広告シート１４を動作させるモータ２２とが接続されている。
【００４２】
そして、通常の販売中または販売待機時には、制御部３８は、ＬＥＤ基板３５、イルミネーション表示部１０、蛍光灯１２Ｂおよび１２Ａの各照明をメモリ３９内に記憶されている点灯パターンに基づいて、それぞれ予め選択設定されている点灯パターンで点灯させる。
【００４３】
また、この実施の形態の制御部３８は時刻を計測するタイマを備え、管理者が予め自動販売機の販売時刻、販売中止時刻を設定することができるようになっており、管理者によって予め深夜等の販売中止時刻が設定されている状態で、タイマが販売中止時刻となった場合に、制御部３８は、自動販売機の販売動作を中止し、上部位置検知スイッチ２３が広告シート１４の下端を検知しているかどうか確認して、上部位置検知スイッチ２３が広告シート１４の下端を検知していれば、モータ２２を広告シート１４が伸張展開される方向へと駆動させる。そして、広告シート１４が伸張展開され、商品見本陳列部４の前面略全域を覆って、広告シート１４の下端が下部位置検知スイッチ２０の検知位置に達し、下部位置検知スイッチ２０が広告シート１４の下端を検知すると、制御部３８は、モータ２２の駆動を停止し、広告シート１４の動作を停止させる。そして、制御部３８は、ＬＥＤ基板３５、イルミネーション表示部１０、蛍光灯１２Ｂおよび１２Ａの各照明手段の販売中の点灯パターンを中止し、メモリ３９から一定の光量を維持した状態で点灯する点灯パターンを読み出して、各照明手段を一定の光量を維持した状態で点灯する点灯パターンで点灯させる。これにより、商品見本３を照明する各照明手段の光が広告シート１４を後方から照明して、商品見本陳列部４前面の略全域を覆った広告シートを鮮やかに照明することができる。
【００４４】
この販売中止時のシート部材１４の照明は後方からの照明となって、通常販売中に使われる光量では薄暗くなる場合があるため、点灯パターンを通常の光量より明るくした広告シート１４のための専用の点灯パターンで照明してもよい。
【００４５】
また、販売中止時の照明は、すべての照明手段を一定の光量を維持した状態で点灯させるのではなく、例えばイルミネーション表示部１０のみ消灯するなど、特定の照明手段を点灯または消灯させるようにしてもよい。
【００４６】
そして、その後、管理者によって予め設定されている販売開始時刻になると、制御部３８は、下部位置検知スイッチ２０が広告シート１４の下端を検知しているかどうか確認し、下部位置検知スイッチ２０が広告シート１４の下端を検知していれば、モータ２２を広告シート１４が巻取回収される方向へと駆動させる。そして、広告シート１４が巻取回収され、商品見本陳列部４の前面略全域から待避し、広告シート１４の下端下が上部位置検知スイッチ２３の検知位置に達して、上部位置検知スイッチ２３が広告シート１４の下端を検知すると、制御部３８は、モー２２タの駆動を停止して広告シート１４の動作を停止させる。そして、制御部３８は、ＬＥＤ基板３５、イルミネーション表示部１０、蛍光灯１２Ｂおよび１２Ａの各照明手段の、一定の光量を維持した状態で点灯する点灯パターンを中止し、メモリ３９内から予め設定されている各照明手段の販売中の点灯パターンを読み出して、各照明手段を販売中の点灯パターンで点灯させる。そして、制御部３８は、自動販売機の販売中止状態を解除して通常の販売待機状態とする。これにより、商品見本陳列部４前面の略全域から広告シート１４が待避され、通常の販売状態（販売待機状態）となる。
【００４７】
また、所定時間経過しても上部位置検知スイッチ２３または下部位置検知スイッチ２０が広告シート１４の下端を検知しなければ、制御部３８は、広告シート１４が傾いてガイドレール１９に引っ掛かったり、被誘導部であるカバー体１８がガイドレール１９から外れる等の異常事態が起こったと判断し、販売中止状態を維持し続ける。
【００４８】
以上は、販売中止時に広告シート１４が商品見本陳列部４前面の略全域を覆う場合であるが、この自動販売機は、一定時間商品販売動作がない時に販売待機モードとなり、この時も販売中止時と同様に広告シート１４が商品見本陳列部４前面の略全域を覆うようにする。そして、人感センサにより顧客を検知したり、金銭投入等の操作を検知した時に、広告シート１４を商品見本陳列部４の前面から待避させて販売待機モードを解除し、広告シート１４を巻取回収する。
【００４９】
また、本実施例では、煙草など深夜に販売ができない商品を販売するために、販売中止時刻と販売開始時刻を予め設定しておき、設定された時刻になれば、販売中止または販売開始のための動作を行うようになっているが、管理者によって手動で販売中止・販売開始の動作を行うようにしても良いし、自動販売機をネットワークに接続して、通信によって販売中止・販売開始を指示するようにしても良い。
【００５０】
また、この実施の形態では、広告シートが商品見本陳列部の全域を覆う仕様となっているが、任意に設定した所定領域を覆うことができるようにしても良い（例えば上部商品見本陳列部のみを広告シートで覆う。）。
この場合には、商品見本陳列部内の上部位置検知スイッチが設けられている位置と下部位置検知スイッチが設けられている位置の間で、上部商品見本陳列部と下部商品見本陳列部の境となる場所のガイドレール上の位置に、任意の位置で広告シートの下端の位置を検知する第３の位置検知手段としての中間位置検知スイッチ（図示しない）を設ける。
そして、管理者が、予め販売中止時刻と販売開始時刻、広告シートの動作範囲（商品見本陳列部全域、上部商品見本陳列部のみ）を設定し、その設定データをメモリに記憶させておく、そして、制御部は、メモリに記憶させた設定データに基づき、広告シートの動作や販売中止・販売開始動作を行う。
【００５１】
例えば、管理者によって、「昼間（例えばＡＭ６：００〜ＰＭ４：００）は通常の販売、夕方以降（例えばＰＭ４：００〜ＰＭ１０：００）から上部商品見本陳列部のみ広告シートを覆う販売、深夜（ＰＭ１０：００〜ＡＭ６：００）に商品見本陳列部の全域を広告シートで覆い販売を中止する」といった設定がなされている場合について説明する。
この場合、タイマの時刻が夕方以降になると、制御部はメモリに記憶されている設定データに従い、制御部は上部商品見本陳列部の商品の販売動作を中止し、上部位置検知スイッチが広告シートの下端を検知しているかどうかを確認して、上部位置検知スイッチが広告シートの下端を検知していれば、モータを広告シートが伸張展開される方向へと駆動させる。そして、広告シートが伸張展開され、上部商品見本陳列部の前面のみを覆って、広告シートの下端が中間部位置検知スイッチの検知位置に達し、中間部位置検知スイッチが広告シートの下端を検知すると、制御部は、モータの駆動を停止し、広告シートの動作を停止させる。そして、制御部は、上部商品見本陳列部に設けられているＬＥＤ基板、イルミネーション表示部、蛍光灯の各照明手段の販売中の点灯パターンを中止し、メモリから一定の光量を維持した状態で点灯する点灯パターンを読み出して、各照明手段を一定の光量維持した状態で点灯する点灯パターンで点灯させる。この時、下部商品見本陳列部の照明手段である蛍光灯は通常の販売中の点灯パターンを維持する。これにより、上部商品見本陳列部の商品見本を照明する各照明手段の光が広告シートを後方から照明して、上部商品見本陳列部の前面の略全域のみを覆った広告シートを鮮やかに照明することができる。
【００５２】
次に、タイマの時刻が深夜になり販売中止時間になると、制御部はメモリに記憶されている設定データに従い、自動販売機の販売動作を中止し、中間部位置検知スイッチが広告シートの下端を検知しているかどうかを確認して、中間部位置検知スイッチが広告シートの下端を検知していれば、モータを広告シートが伸張展開される方向へと駆動させる。そして、広告シートが伸張展開され、上部商品見本陳列部だけでなく下部商品見本陳列部も覆い、商品見本陳列部の前面略全域を覆うと、広告シートの下端が下部位置検知スイッチの検知位置に達し、下部位置検知スイッチが広告シートの下端を検知すると、制御部は、モータの駆動を停止し、広告シートの動作を停止させる。そして、制御部は、上部商品見本陳列部および下部商品見本陳列部のそれぞれに設けられているＬＥＤ基板、イルミネーション表示部、蛍光灯の各照明手段の販売中の点灯パターンを中止し、メモリから一定の光量を維持した状態で点灯する点灯パターンを読み出して、各照明手段を一定の光量維持した状態で点灯する点灯パターンで点灯させる。これにより、商品見本陳列部の商品見本を照明する各照明手段の光が広告シートを後方から照明して、商品見本陳列部の前面の全域を覆った広告シートを鮮やかに照明することができる。
【００５３】
次にタイマの時刻が昼間になり通常の販売開始時間になると、制御部はメモリに記憶されている設定データに従い、下部位置検知スイッチが広告シートの下端を検知しているかどうかを確認して、下部位置検知スイッチが広告シートの下端を検知していれば、モータを広告シートが巻き取り回収される方向へと駆動させる。そして、広告シートが巻取回収され、商品見本陳列部の前面略全域から待避し、広告シートの下端が中間部位置検知スイッチを通過し、上部位置検知スイッチの検知位置に達し、上部位置検知スイッチが広告シートの下端を検知すると、制御部は、モータの駆動を停止し、広告シートの動作を停止させる。そして、制御部は、上部商品見本陳列部および下部商品見本陳列部のそれぞれに設けられているＬＥＤ基板、イルミネーション表示部、蛍光灯の各照明手段の販売中の点灯パターンを中止し、メモリに予め設定されている各照明手段の販売中の点灯パターンを読み出して、各照明手段を販売中の点灯パターンで点灯させる。そして、制御部は自動販売機の販売中止状態を解除して通常の販売待機状態とする。これにより、商品見本陳列部前面の略全域から広告シートが待避され、通常の販売状態（販売待機状態）となる。
【００５４】
これにより、所定領域を自由に広告シートで覆い隠すことができ、販売可能な種類の数を変化させるといった販売形態にバリエーションを持たせることが可能となるとともに、広告シートも鮮明に照明することができる。
【００５５】
尚、上部商品見本陳列部のみを広告シートで覆う場合に、下部商品見本陳列部の照明手段も上部商品見本陳列部の照明手段と同様に、販売中の点灯パターンを中止し、メモリから一定の光量を維持した状態で点灯する点灯パターンを読み出して、各照明手段を一定の光量維持した状態で点灯する点灯パターンで点灯させるようにしても良い。
また、中間部位置検知スイッチを複数設けて、それぞれの中間位置検知スイッチの位置で広告シートの動作停止を可能とすることで、より多彩な販売形態のバリエーションを持たせることもできる。
【図面の簡単な説明】
【００５６】
【図１】本発明の実施の形態の自動販売機の通常状態での正面図である。
【図２】本発明の実施の形態の自動販売機の広告シート降下時の正面図である。
【図３】本発明の実施の形態の自動販売機の前面扉内部の構造を示す本体内部構造を省略した縦断面図である。
【図４】本発明の実施の形態の自動販売機の広告シート機構の部分の断面図である。
【図５】本発明の実施の形態の自動販売機の商品見本陳列部の上部拡大斜視図である。
【図６】本発明の実施の形態の自動販売機の上部商品見本陳列部の拡大横断面図である。
【図７】本発明の実施の形態の自動販売機の広告シート機構上部ユニットの斜視図である。
【図８】本発明の実施の形態の自動販売機の広告シート機構上部ユニットのローラケースからローラを取り外した状態の説明図である。
【図９】本発明の実施の形態の自動販売機の広告シート機構上部ユニット右側端部の前面扉に取付けた状態の説明図である。
【図１０】本発明の実施の形態の自動販売機の制御系のブロック図である。
【符号の説明】
【００５７】
１  本体
２  前面扉
３  商品見本
４  商品見本陳列部
５  操作部
６  物品取出口
７  釣銭払出口
８  透明パネル
９  導光板
１０  イルミネーション表示部
１１  上部商品見本陳列部
１２Ａ、１２Ｂ  蛍光灯
１３  下部商品見本陳列部
１４  広告シート
１５  広告シート動作空間
１６  ローラ
１７  錘部材
１８  カバー体
１９  ガイドレール
２０  下部位置検知スイッチ
２１  ローラケース
２２  モータ
２３  上部位置検知スイッチ
２５  ロック錠
２８  回転軸
２９Ａ、２９Ｂ  商品見本保持板
３０Ａ、３０Ｂ  底面板
３１Ａ、３１Ｂ  背面板
３２  価格ホルダ
３３  覆い部材
３４  導光穴
３５  ＬＥＤ基板
３６  カラーＬＥＤ
３７  蛍光灯ケース
３８  制御部
３９  メモリ
【図１】
2007011743.tif 000003
【図２】
2007011743.tif 000004
【図３】
2007011743.tif 000005
【図４】
2007011743.tif 000006
【図５】
2007011743.tif 000007
【図６】
2007011743.tif 000008
【図７】
2007011743.tif 000009
【図８】
2007011743.tif 000010
【図９】
2007011743.tif 000011
【図１０】
2007011743.tif 000012